Podtech/llm-jp-corpus-v4-ja_patent huggingface dataset:
(57)【要約】【課題】  治療と効果測定は別の作業であり、治療しながら皮膚温を測定することは出来ない。また、治療現場で治療効果をその場で測定できる簡便な測定器が存在しない。【解決手段】  治療しながら皮膚温を測定するため、治療と同時にデジタルサーモテープの３４℃を使用した血流チェッカーを皮膚に接触させて、皮膚温の変化を観察できるようにする。赤色光あんぽう器に血流チェッカーを一体化することで、あんぽう治療前の皮膚温と治療後の皮膚温の比較から、あんぽう治療による血流量の変化を知ることができる。また、治療の現場や自ら治療した場合でも、治療と同時に血行促進の治療効果をその場で確認できる。また、疲れ目の改善とともに、目の周りの血流が促進されるため、美容器としても使用できる。【選択図】図１
2020130972.tif 000002
【特許請求の範囲】
【請求項１】
７４０ｎｍ〜７５０ｎｍの赤色光を用いたあんぽう器に、皮膚温を測定するデジタルサーモテープの３４℃のみを使った血流チェッカーを組込むことにより、皮膚温の変化から赤色光による瞼及び目の周りの血行促進効果を、治療しながら確認できることを特徴とする血流チェッカー付赤色光あんぽう器。
【発明の詳細な説明】
【技術分野】
【０００１】  本発明は、赤色光あんぽう器による血流の変化を知ることができる、血流チェッカー付赤色光あんぽう器に関するものである。
【背景技術】
【０００２】  赤色光あんぽう器に関しては、特許文献１の［表２］（皮膚組織と赤外線放射吸収比率）で７５０ｎｍ（０．７５μ）付近の赤色光が最も深い皮膚の深部組織にまで到達し、皮下組織の血管網に吸収される。また、同じく特許文献１の［表１］（赤色光あんぽう器の使用後の眼瞼皮膚温の上昇）では、７４０ｎｍの赤色光あんぽう治療の実測で、血流が増加したことにより皮膚温が上昇したことが確認されている。【０００３】  血流チェッカーに関しては、特許文献２にも引用された非特許文献１（３０ｐ）では、（皮膚血流量と皮膚温との関係）として、直線関係ではないが曲線関係にあるとされている。また、皮膚温は環境温度に左右されるが平均３４℃前後であり、血流増による皮膚温上昇の限界値は約３６℃とされている。【０００４】  また、特許文献２で血流チェッカーにデジタルサーモテープを使用した利点として、反応速度が約１分と速いことであり、測定を中断しても中断時点の温度に素早く戻ることが可能になる。さらに、皮膚温の平均であるデジタルサーモテープの３４℃のみを使用することで、効率よく皮膚温の変化を知ることができる。
【先行技術文献】
【特許文献】
【０００５】
【特許文献１】特願２０１８−１９０４６９
【特許文献２】特願２０１９−２３００５
【０００６】
【非特許文献】
【非特許文献】「抹消皮膚循環の計測とバイオフィードバック」バイオフィードバック研究  １９９７年・２４巻  Ｐ３０
【発明の概要】
【発明が解決しようとする課題】
【０００７】  現時点では、治療と効果測定は別の作業であり、治療しながら皮膚温を測定することは出来ない。また、治療現場で治療効果をその場で測定できる簡便な測定器が存在しない。
【課題を解決するための手段】
【０００８】  本発明は、赤色光あんぽう器と血流チェッカーを一体化させることで、治療と同時に皮膚にデジタルサーモテープの３４℃を接触させて、皮膚温の変化を観察できるようにする。
【発明の効果】
【０００９】  本発明においては、赤色光あんぽう器に血流チェッカーを一体化することで、あんぽう治療前の皮膚温と治療後の皮膚温の比較から、あんぽう治療による血流量の変化を知ることができる。また、治療の現場や自ら治療した場合でも、治療と同時に血行促進の治療効果をその場で確認できる。
【図面の簡単な説明】
【００１０】
【図１】血流チェッカー付赤色光あんぽう器の実施方法を示した説明図である。
【発明を実施するための形態】
【００１１】  図１は、本発明の血流チェッカー付赤色光あんぽう器を瞼に使用する実施例を示す。図１において血流チェッカー付赤色あんぽう器１は、ヒーターパッド４と赤色ＬＥＤ（実施例では７４０ｎｍ）５を実装した基板３をメガネ２に取り付け、ヒーターパッド４に血流チェッカー６を装着した構成にする。また、両眼用であるため左右同じ構成にする。電源はＡＣアダプター（図示せず）からスイッチボックス７を経由して基板３に接続している。
【００１２】  以下、使用手順について説明する。メガネ２をかける際に血流チェッカー６が右の瞼に接触していることを確認してから、スイッチボックス７のスイッチ８をＯＮにする。赤色ＬＥＤ５が点灯して１分後にブザーが鳴って消灯したら、血流チェッカー６の色を確認し、再度メガネ２をかける。さらに３分後にブザーが鳴った時点で血流チェッカー６の色を確認し、１分後と３分後の色の変化から皮膚温の変化を確認する。
【００１３】  血流チェッカー６の３４の文字は３４℃を表している。このため、３３℃と３５℃は発色の色で決まり、発色する色との関連の目安は次の通りになる。
発色と皮膚温（目安）
（３４℃）    茶        茶緑          緑        緑青          青
皮膚温    ３３．０℃  ３３．５℃  ３４．０℃  ３４．５℃  ３５．０℃
【００１４】  例えば、血流チェッカー６の１分後の色が茶緑（３３．５℃）で３分後が緑（３４．０℃）であれば、０．５℃上昇したことになり、緑青（３４．５℃）であれば１．０℃上昇したことになる。
【００１５】  また、血流チェッカー６を瞼などの皮膚に接触させる際には、安全と衛生面から透明な食品用ラップフィルムをメガネ２の上から被せ、血流チェッカー６が皮膚に直接触れないようにする。
【００１６】  また、本発明の血流チェッカー付赤色光あんぽう器は、瞼の血行を促進させて疲れ目などを改善する効果から、眼科で用いられるが、目の周りの血行を促進させる美容効果もあり、美容器として使用することもできる。
【符号の説明】
【００１７】１  血流チェッカー付赤色光あんぽう器
２  メガネ
３  基板
４  ヒーターパッド
５  赤色ＬＥＤ（７４０ｎｍ）
６  血流チェッカー（デジタルサーモテープの３４℃）
７  スイッチボックス
８  スイッチ
【図１】
2020130972.tif 000003
(57)【要約】      （修正有）【課題】粘着力により被装着物が設置場所から移動したり落下したりせず、また表面に附着した汚れを除去し易く、且つ着脱が容易な粘着滑止を実現する。【解決手段】粘着滑止１はゴムや軟質樹脂等の弾性を有する軟質素材で形成される円管状の本体２の外周面に粘着性を有する粘着材３を備える。本体の弾性変形を利用して、小物載置具やコップスタンドを構成する線材Ａ１に粘着滑止１を装着して利用する。【選択図】図１
2020130268.tif 000002
【特許請求の範囲】
【請求項１】
円管状の本体を、弾性を有する軟質素材で形成し、前記本体の外周面に粘着性を有する粘着材を形成した粘着滑止。
【請求項２】
前記本体の外周面に粘着両面テープを巻き付けた請求項１に記載の粘着滑止。
【発明の詳細な説明】
【技術分野】
【０００１】
この発明は、物品を載置する線材で構成された載置具等の被挿着物が、設置場所から移動したり滑落しないように被装着物に装着し、粘着力により被装着物を設置場所に仮止めし、被装着物が設置場所から移動したり滑落したりすることがなく、且つ、容易に着脱ができる粘着滑止に関するものである。      
【背景技術】
【０００２】
従来の滑止としては、本出願人が先に提案したゴム或いは軟質樹脂等でできた円管状の滑り止材や滑り止（例えば特許文献１、特許文献２参照。）がある。
【０００３】
【特許文献１】特許第４７８２４４９号公報（小物載置具）
【特許文献２】実用新案登録第３１２１０５９号公報（コップスタンド）
【発明の開示】
【発明が解決しようとする課題】
【０００４】
以上に述べた特許文献１に示すゴム或いは軟質樹脂等でできた円管状の滑り止材は、摩擦だけで止まっているので滑りやすく、シンクで調理をしたり洗い物をしたりしているときに、シンクの縁部に引っ掛けた小物載置具に、手が触れたり器物が触れると縁部から滑り落ちる不具合があり、同じく特許文献２の円管状の滑り止は、洗面台の天板上に置いたコップスタンドに、コップを掛けるときに強く当たると、天板上を移動する不具合があった。
【０００５】
本発明は、このような従来の技術が有していた不具合を解決しようとするものであり、線材で構成された被装着物に装着して使用する粘着性を有する粘着滑止で、粘着力により被装着物が設置場所から移動したり落下したりせず、また、表面に附着した汚れを除去し易く、且つ、着脱が容易な粘着滑止を実現することを目的とするものである。  
【課題を解決するための手段】
【０００６】
上記目的を達成するために本発明は、円管状の本体を弾性を有する軟質素材で形成し、前記本体の外周面に粘着性を有する粘着材を形成したものである。
【０００７】
前記本体の軟質素材は、ゴムや軟質樹脂等が適している。
【０００８】
そして、前記円管状の本体の内径を被装着物の軸径より小さくし、本体の弾性変形を利用して線材に装着する。
【０００９】
また、前記粘着材はウレタンゲルやシリコンゲルやアクリルゲル等が適している。
【００１０】
さらに、前記粘着材は粘着両面テープを巻き付けても良い。
【発明の効果】
【００１１】
上述したように本発明の粘着滑止の本体は弾性を有する軟質素材で形成されており、円管の内径を被装着物の軸径より小さくし、本体の弾性変形を利用して線材に装着するようになっているので、小物載置具やコップスタンドを構成する線材の外径にバラツキがあっても装着できる。
【００１２】
また、粘着材の粘着力により、シンクの縁面或いは洗面台の天板等に粘着するので、載置具に手や器物が触れてシンクの縁から落下したり、コップを掛けるときに当たってコップスタンドが天板上を移動することがない。
【００１３】
かつ、固定したら外れない固着ではなく、外すことができる粘着であるので、小物載置具やコップスタンドなどの用品が邪魔になるときは、簡単に取り外して移動することができる。
【００１４】
さらに、円管状で表面に凹凸がないので、上面に付着した汚れを除去し易いなどの効果があり、また、図４に示すように、縁壁に接近させて安定して縁部に掛けることができる。
【図面の簡単な説明】
【００１５】
【図１】本発明に係る実施例１を示す粘着滑止１の側断面図
【図２】同実施例１を示す粘着滑止１の正面図
【図３】本発明に係る実施例２を示す粘着滑止２の正面図
【図４】粘着滑止１或いは粘着滑止２を小物載置具の線材Ａ１に挿着し、シンクの縁部に掛けた状態の側面図
【図５】粘着滑止１或いは粘着滑止２を小物載置具の線材Ａ１に挿着し、シンクの縁部に掛けた状態の正面図
【図６】粘着滑止１或いは粘着滑止２をコップスタンドの線材Ｂ１に挿着し、洗面台の天板上に置いた状態の側面図
【図７】粘着滑止１或いは粘着滑止２をコップスタンドの線材Ｂ１に挿着し、洗面台の天板上に置いた状態の平面図
【発明を実施するための形態】
【００１６】
本発明の実施の形態について図面を参照して説明する。
実施例１として図１〜図２に示すように、粘着滑止１の円管状の本体２を弾性軟質素材で構成し、前記本体２の外周面に粘着性を有する粘着材３を形成する。
【００１７】
本体２の材料は、ゴムや軟質樹脂等の弾性を有する軟質素材で形成し、本体２の内径を線材Ａ１（Ｂ１）の外径より小さくし、線材Ａ１（Ｂ１）に粘着滑止１を挿着したときに被挿着物から脱落しないようにしている。
【００１８】
また、本体２の内径を線材Ａ１（Ｂ１）の外径より小さくしても、本体２に弾力性があるので容易に線材Ａ１（Ｂ１）に挿入できる。
【００１９】
さらに、本体２を、弾性を有する軟質素材にすることにより、粘着滑止に負荷がかかったときに変形し、接着面積が増して接着力が増える効果がある。
【００２０】
図３に示す実施例２では、粘着滑止１１の円管状の本体２を、弾性を有する軟質素材で形成し、前記本体２の外周面に表裏両面が粘着性を有する粘着両面テープ３１を巻着している。
【００２１】
本実施例２の粘着滑止１１は、使用回数が増えて粘着力が低下したときに、市販の両面テープを購入して交換できる利点がある。
【００２２】
本発明の粘着滑止１（１１）の使用例を小物載置具の場合で説明すると、図４、図５に示すように、小物載置具は線材Ａ１で構成されていて、上方にある引掛け部の両端に本発明の粘着滑止１（１１）を挿着し、小物載置具をシンクの縁部上面に引掛けて使用する。
【００２３】
また、本発明の粘着滑止１（１１）の使用例を被挿着物が洗面台の天板上で使用するコップスタンドの場合で説明すると、図６、図７に示すように、コップスタンドは線材Ｂ１で構成され、下方にある座部の左右の中間部に粘着滑止１（１１）を挿入し、洗面台の天板上に置いて使用する。
【符号の説明】
【００２４】
１、１１  粘着滑止
２  本体    
３  粘着材
３１  粘着両面テープ
Ａ１、Ｂ１  線材    
【図１】
2020130268.tif 000003
【図２】
2020130268.tif 000004
【図３】
2020130268.tif 000005
【図４】
2020130268.tif 000006
【図５】
2020130268.tif 000007
【図６】
2020130268.tif 000008
【図７】
2020130268.tif 000009
(57)【要約】      （修正有）【課題】美術館のような釘打ちができない環境において、簡単に額縁を壁面に安定して吊り下げることができる吊り下げ具を提供する。【解決手段】額縁支持具１は、壁面に沿う垂直部７と該垂直部から上方に飛び出た額縁支持部８とを備え、前記額縁支持部が上端に行くほど離れるように傾いて、前記額縁上枠の底面に嵌り込む形状に形成されている。使用に際しては、まず額縁支持具の垂直部を壁面に当て、適宜な位置で押しピンの針を貫通穴２に通して壁面に固定する。次に、額縁を前記支持具に引っ掛けるように吊り下げる。すると、前記額縁支持部が額縁の下端面を支持した状態で作品ボード部と、額縁の作品留め具との隙間に嵌り込み吊り下げることができる。【選択図】図１
2020130316.tif 000002
【特許請求の範囲】
【請求項１】
額縁を壁面に吊り下げる額縁支持具であって、前記壁面に沿う垂直部と該垂直部から上方に飛び出た額縁支持部とを備え、前記額縁支持部の上端が、前記壁面から離れるように前傾するとともに、先細りになって、前記額縁裏面の上枠の底面に嵌り込む形状に形成されている額縁支持具。
【請求項２】
前記垂直部には、前記壁面に押しピンで固定するための貫通穴が少なくとも１つ設けられている請求項１に記載の額縁支持具。
【請求項３】
前記貫通穴の周囲には、前記押しピンの頭が嵌る凹部が設けられている請求項２に記載の額縁支持具。
【請求項４】
前記垂直部には、更に磁石が埋め込まれている請求項１又は２に記載の額縁支持具。
【発明の詳細な説明】
【技術分野】
【０００１】
本発明は、美術館などの釘打ち不可の壁面に美術作品を押しピンで展示するための額縁支持具に関するものである。
【背景技術】
【０００２】
美術館やギャラリー、展示用パネルは作品を掲示する際に釘を使ってはいけない規定がある。作品は押しピン２本で止め、作品前面から見えないように吊り下げるのが一般的ではある。２本の押しピンのみでは、平行や隙間を均等にして整然と展示するには時間がかかり困難であることと、作品の自重で落下しやすいという心配があった。
【先行技術文献】
【特許文献】
【０００３】
【特許文献１】特開平１０−０７１０６１号公報
【発明の概要】
【発明が解決しようとする課題】
【０００４】
美術館やギャラリーの展示壁面に釘打ちができない環境において、絵画（額縁・木製パネル）等を複数段、整然と展示することは、展示ワイヤーや２か所で止めるプッシュピンを用いても、煩わしい作業となる。特に、パネルごとに幅が異なる場合には、展示パネルの幅に応じて吊り下げ箇所を変えなければならないが、その場合には、左右の展示物との間隔も問題になるので、位置決めが煩わしい作業となる。本発明は、これを解決しようとするものである。
【課題を解決するための手段】
【０００５】
本発明に係る額縁支持具は、額縁を壁面に吊り下げる額縁支持具であって、前記壁面に沿う垂直部と該垂直部から上方に飛び出た額縁支持部とを備え、前記額縁支持部の上端が、前記壁面から離れるように前傾するとともに、先細りになって、前記額縁裏面の上枠の底面に嵌り込む形状に形成されている。
【０００６】
使用に際しては、まず額縁支持具の垂直部７を壁面６に当て、適宜な位置で押しピンの針を貫通穴２に通して壁面に固定する。次に、額縁を前記支持具に引っ掛けるように吊り下げる。すると、前記額縁支持部８が額縁の下端面３を支持した状態で作品ボード部と、額縁の作品留め具との隙間１１に嵌り込む、これにより簡単に額縁を壁面に吊り下げることができる。
【０００７】
また、前記垂直部７には、前記壁面６に押しピンで固定するための貫通穴２を少なくても１つ設けられており、前記貫通穴の周囲には、前記押しピンの頭が嵌る凹部５が設けられているものである。これにより、押しピンで壁面に取り付けることができるから、一切の工具を必要としないメリットがある。また、押しピンをより深く壁面に押し込むことができるから、抜け難い支持具とすることができる。また、画鋲が刺さらない壁面であっても金属部に接着できるように磁石４が付随している。
【発明の効果】
【０００８】
押しピンだけで簡単に強固できる額縁支持具としたから、これまで時間の掛かった展示作業が簡単になり、効率よく提示作業を行うことができる。
【図面の簡単な説明】
【０００９】
【図１】本発明に係る額縁支持具の外観斜視図
【図２】前記支持具で額縁を支持する時の説明図
【発明を実施するための形態】
【００１０】
本発明に係る額縁支持具１は、合成樹脂材料や軽量金属を材質とする。形態は、図１に示すように側面視I字型をなし、壁面６に取り付ける垂直部７と該垂直部から上方に伸びて前傾する額縁支持部８とを備える。前記額縁支持部８は、上端に行くほど先細りになって前傾している。この先細りになった額縁支持部８を前記額縁の作品留め具９と作品もしくは支持ボード１１との隙間１２に嵌め込むことにより、額縁が支持できるようになっている。
【００１１】
また、前記垂直部７には、前記壁面に押しピンで固定するための貫通穴２を少なくとも１つ、図１では都合３個設けられており、前記貫通穴２の周囲には、前記押しピンの頭が嵌る凹部５が設けられている。
【００１２】
使用に際しては、まず額縁支持具１の垂直部７を壁面６に当て、適宜な位置で押しピンの針を中央の貫通穴２に通して壁面に固定する。次に、額縁フレーム１０を前記支持具１に引っ掛けるように吊り下げる。すると、前記額縁支持部８が額縁の下端面３を支持した状態で作品もしくは支持ボード１１と、額縁の作品留め具９との隙間１２に嵌り込むから、これにより簡単に額縁を壁面に吊り下げることができる。このとき、額縁が水平になっているか目視して修正し、水平になっていれば、額縁を外して、残りの貫通穴２にも押しピンを通して留める。続いて、前述のように額縁支持部８を支持ボード１１と作品止め部９との隙間１２に嵌め込む。これにより、少々の振動や衝撃があっても安定して支持することが可能である。
【００１３】
また、また、画鋲が刺さらない壁面であっても金属部に接着できるように磁石4が埋め込まれている。
【符号の説明】
【００１４】
１額縁支持具
２押しピン針の貫通穴
３額縁フレームの下端面
４磁石
５押しピンの頭が嵌る凹部
６被展示壁面
７垂直部
８額縁支持部
９額縁の作品留め具
１０額縁フレーム
１１作品もしくは支持ボード
１２額縁の作品留め具と作品もしくは支持ボードとの隙間
【図１】
2020130316.tif 000003
【図２】
2020130316.tif 000004
(57)【要約】【課題】手早く畳むことができ、着替えや朝食の時間に余裕を持たせることができる寝具を提供すること。【解決手段】形状が変形可能な板状変形体を内部に備える寝具であって、板状変形体は、相互に異なる第１および第２の安定形状を有しており、第１の安定形状は、相互に直交する第１および第２の方向に関し、第１の方向に沿ってほぼ直線状で、第２の方向に沿ってほぼ円弧状で、第２の安定形状は、第１の方向に沿ってほぼ渦巻状で、第２の方向に沿ってほぼ直線状であること。【選択図】図３
2020124252.tif 000002
【特許請求の範囲】
【請求項１】
形状が変形可能な板状変形体を内部に備える寝具であって、
前記板状変形体は、相互に異なる第１および第２の安定形状を有しており、
前記第１の安定形状は、相互に直交する第１および第２の方向に関し、第１の方向に沿ってほぼ直線状で、第２の方向に沿ってほぼ円弧状で、
前記第２の安定形状は、前記第１の方向に沿ってほぼ渦巻状で、前記第２の方向に沿ってほぼ直線状である、寝具。
【請求項２】
前記板状変形体は、金属またはプラスチックからなる、請求項１記載の寝具。
【請求項３】
前記板状変形体は、所定の袋状部材に収納されている、請求項１または請求項２記載の寝具。
【発明の詳細な説明】
【技術分野】
【０００１】
本発明は、収納が容易な寝具に関する。
【背景技術】
【０００２】
従来から、布団や毛布などの寝具を使用した後は、それらを折り畳んで押し入れなどに収納していた。寝具には掛布団、毛布、敷布団などがあり、それらすべてを折り畳む必要があった。
【発明の概要】
【発明が解決しようとする課題】
【０００３】
しかしながら、多数の寝具を折り畳む作業は煩雑であり、特に、朝の忙しい時間帯においてはより深刻であった。
【課題を解決するための手段】
【０００４】
本発明は、形状が変形可能な板状変形体を内部に備えた寝具であって、板状変形体は、相互に異なる第１および第２の安定形状を有しており、第１の安定形状は、相互に直交する第１および第２の方向に関し、第１の方向に沿ってほぼ直線状で、第２の方向に沿ってほぼ円弧状で、第２の安定形状は、第１の方向に沿ってほぼ渦巻状で、第２の方向に沿ってほぼ直線状である、という構成を採っている。
【０００５】
以上のような構成により、第１の安定形状では寝具が展開された状態となり、通常の寝具と同様に使用することができる。一方、寝具は第２の方向に沿って円弧状となっているが、その円弧の凸面側から力を加えると、円弧が直線に近づき、円弧の断面二次モーメントが小さくなる。これにより、板状変形体が第２の安定形状である渦巻状に変形する。板状変形体が渦巻状に変形することで、寝具がコンパクトに畳まれる。
【発明の効果】
【０００６】
本発明の寝具は、手早く畳むことができるので、着替えや朝食の時間に余裕を持たせることができる。
【図面の簡単な説明】
【０００７】
【図１】本発明の一実施形態に係る寝具に使用される板状変形体を示す三面図であって、第１の安定形状を示し、図１（Ａ）は平面図を示し、図１（Ｂ）は側面図を示し、図１（Ｃ）は底面図を示す。
【図２】図１に開示した板状変形体を示す三面図であって、第２の安定形状を示し、図２（Ａ）は平面図を示し、図２（Ｂ）は側面図を示し、図２（Ｃ）は底面図を示す。
【図３】第２の安定形状における寝具の側面図を示す。
【発明を実施するための形態】
【０００８】
本発明の寝具の実施形態を、図面を参照しながら以下に説明する。なお、説明において、共通する部分は同じ符号を付し、重複する説明は適宜省略する。
【０００９】
［板状変形体］
本発明の寝具１は、形状が変形可能な板状変形体３を内部に備え、板状変形体３は、相互に異なる第１および第２の安定形状を有しており、第１の安定形状は、相互に直交する第１および第２の方向Ｌ，Ｗに関し、第１の方向Ｌに沿ってほぼ直線状で、第２の方向Ｗに沿ってほぼ円弧状で、第２の安定形状は、第１の方向Ｌに沿ってほぼ渦巻状で、第２の方向Ｗに沿ってほぼ直線状である。寝具の例としては、掛布団、毛布、敷布団などであるが、これらに限定されるものではない。以下に詳しく説明する。
【００１０】
図１（Ａ）に示すように、第１の安定形状における板状変形体３は、平面形状がほぼ長方形である。この例では、第１の方向Ｌの長さが、第２の方向Ｗの長さよりも長い長方形である。そして、第１の方向Ｌに沿った板状変形体３の形状はほぼ直線状である。また、図１（Ｃ）に示すように、板状変形体３を底面から見た形状は、第２の方向Ｗに沿ってほぼ円弧状である。ただし、円弧は完全な部分円形状に限定されるものではなく、部分楕円形状であってもよい。
【００１１】
図２（Ｂ）に示すように、第２の安定形状における板状変形体３は、側面形状が第１の方向Ｌに沿ってほぼ渦巻状である。このように、板状変形体３が渦巻状となることで、第１の方向Ｌに沿った長さが短くなり、板状変形体３が全体としてコンパクトになる。なお、図２（Ｂ）に示す渦巻形状の曲率半径は一例であり、より大きな曲率半径としても良いし、より小さな曲率半径としてもよい。
【００１２】
板状変形体３は、薄い金属板から構成されており、その材料は鉄、ステンレス、アルミなどを利用できる。ただし、板状変形体３の材料は金属に限定されるものではなく、プラスチックなども利用できる。なお、材料として鉄を用いる場合には、板厚は０．１５ｍｍ程度とすることが望ましい。この板厚であれば、第１の安定形状と第２の安定形状を小さな力で実現できるからである。
【００１３】
［寝具］
次に、図３に基づいて、上記板状変形体３を内部に備える寝具１について説明する。この図に示すように、寝具１の内部に板状変形体３が収納されている。この図は、板状変形体３が第２の安定形状になっている状態を示している。この図において、板状変形体３は、寝具１内に直接収納されているが、ファスナー付のプラスチックまたはビニール製の袋状部材に入れて、それを寝具１内に収納するようにしてもよい。
【００１４】
［作用］
この寝具１は、使用する際には第１の安定形状にする。すなわち、第１の方向Ｌに沿ってほぼ直線状となるようにする。板状変形体３の全体が第１の方向Ｌに沿ってほぼ直線状になると、第２の方向に沿って円弧状となる。このため、円弧状断面に関する断面二次モーメントが増大し、第１の安定形状に安定する（図１参照）。一方、板状変形体３を円弧の凸側から押すと、円弧が直線状に近づく。すると、断面二次モーメントが小さくなり、第１の方向Ｌに沿った剛性が低下する。これにより、板状変形体３は第２の安定形状である、渦巻状の形状となる。板状変形体３が渦巻状になることで、寝具１全体が渦巻状にコンパクトに畳まれる。
【００１５】
本発明によれば、小さい力で板状変形体３が渦巻状に丸まるため、小さい子どもでも簡単に寝具１を畳むことができる。また、板状変形体３は第２の安定形状を有しているので、丸まった後の形がそのままに維持される。さらに、円弧の凹側から力を加えても板状変形体３は丸まらないので、睡眠中も安心である。
【符号の説明】
【００１６】
１  寝具
３  板状変形体
Ｌ  第１の方向
Ｗ  第２の方向
【図１】
2020124252.tif 000003
【図２】
2020124252.tif 000004
【図３】
2020124252.tif 000005
(57)【要約】【課題】身体、皮膚に負担を負うこと無く容易に装着できるとともに、α波の周波数を電気刺激として神経に伝達することができるネックレスを提供すること。【解決手段】ネックレスは、環状体を備える。ネックレスは、環状体に設けられた本体に含まれる蓄電池をエネルギー源とし、本体に含まれる水晶発振器にて電気パルスを発振することにより、８ヘルツから１３ヘルツのα波の周波数を有する電気信号を生成する。ネックレスは、生成された電気信号を、頸部裏の後頭部頭蓋骨すぐ下に４ｃｍから６ｃｍの間隔で配置されるように、環状体のうちの本体から最も遠い部分に設けられた一対の電極４を介して出力することにより、頸部より神経へ電気刺激を伝達する。【選択図】  図１
2020124572.tif 000002
【特許請求の範囲】
【請求項１】
環状体を備えるネックレスであって、
前記環状体に設けられた本体に含まれる蓄電池をエネルギー源とし、前記本体に含まれる水晶発振器にて電気パルスを発振することにより、８ヘルツから１３ヘルツのα波の周波数を有する電気信号を生成し、
前記生成された電気信号を、頸部裏の後頭部頭蓋骨すぐ下に４ｃｍから６ｃｍの間隔で配置されるように、前記環状体のうちの前記本体から最も遠い部分に設けられた一対の電極を介して出力することにより、前記頸部より神経へ電気刺激を伝達する、ネックレス。
【発明の詳細な説明】
【技術分野】
【０００１】
本発明は、健康若年期の平均α波の電気刺激を発するネックレスに関するものである。
【背景技術】
【０００２】
人間の脳はα波の出現と共にβ―エンドルフィンというホルモンが分泌される、β―エンドルフィンは老化を防止し自然治癒力を高める、すぐれた薬効効果があり、ガンをたたくことで有名なナチュラルキラー細胞がβ―エンドルフィンに触れると幼若化現象、若返りが発生することが顕微鏡でも確認された。
対峙するノルアドレナリンというホルモンは強い毒を持ち老化を促進し病気を誘発するホルモンであるが、β―エンドルフィンの分泌と共に止まる特性がある。
β―エンドルフィンは別名、脳内モルヒネと称されるくらい分泌時には多幸感と沈痛作用、鎮静作用をもたらす。
α波を発生させるには、リラックスするということ、自傷事、きれいと思うものを見聞きする等があるが、個人差があり逆効果を生む場合もある。
経年によりα波の周波数が少なくなり、出現率が減少するという臨床結果もある。
【０００３】
脳波をコントロールするには、ＤＢＳ脳深部刺激療法という神経系の疾病の治療法、頭蓋骨に穴を開け電極を脳深部に埋め込み電気信号を共鳴させる治療法がある、脳は電気刺激に共鳴することを裏付けされたものであるが、未病の人にはリスクが大きすぎる。
【先行技術文献】
【特許文献】
【０００４】
【特許文献１】特表２０１３−５０００５０  電気刺激のための医療用具
【非特許文献】
【０００５】
【非特許文献１】春山茂樹著「脳内革命」サンマーク出版  １９９５年
【非特許文献２】春山茂樹著「脳内革命２」サンマーク出版  １９９６年
【発明の概要】
【発明が解決しようとする課題】
【０００６】
解決する問題点は、不要事に容易に取り外しができることを課題とする。
【課題を解決するための手段】
【０００７】
本発明は、蓄電池を用いコードレスにすることによりネックレスタイプにすることができ、取り付け取り外しが容易にできることを特徴とする。
【発明の効果】
【０００８】
上述したようにα波、β―エンドルフィンを分泌するためには、リラックスする、自傷事、きれいなものを見聞きする等、個人差の発生する方法しかありませんでしたが、本発明の装身具は的確にα波の周波数を電気刺激として神経に伝達することができ、しかも、身体、皮膚に負担を負うこと無く容易に装着できる。
【０００９】
本発明の効果を確認するために、１０代から８０代、健常者から持病がある方までランダムに選んだ１０人を被験者とし、無音の暗室にて３０分間、本発明による刺激のみ受ける状態で本発明品ネックレスを装着した後、体感、体調を聞き取り調査した。
【００１０】
結果、被験者の約９割の方が、身体が軽くなった、と語った。下記表１に示すように、本発明品の装身具ネックレスタイプを装着することによりα波と共に分泌されるβ―エンドルフィンが顕著に分泌されていることが確認できた。
【表１】
2020124572.tif 000003
【図面の簡単な説明】
【００１１】
【図１】ネックレス全体の正面図である。
【図２】本体裏面の図である。
【図３】本体内部の図である。
【発明を実施するための形態】
【００１２】
蓄電池をエネルギー源とし水晶発振器にて電気パルスを発振してボリュームにて電圧を制御し電極にて頸部後ろ側に電気刺激を与える。この電極は、頸部裏の後頭部頭蓋骨すぐ下に４ｃｍから６ｃｍの間隔で配置される。
ブルートゥース（登録商標）で繋がったモバイルのアプリケーションでチューニングし、本体正面のＬＥＤにて動作確認する、以上の蓄電池、水晶発振器、ボリューム、ＬＥＤを基盤に配置して、ＣＯＢチップオンボード化して小型軽量にしてネックレスタイプにする。
【００１３】
全長は４５ｃｍから７０ｃｍでネックレスチェーン部はシリコーンゴムチューブにて被覆する。
【００１４】
出力はα波の範囲の８ヘルツから１３ヘルツを、人間の脳が常時出している３０マイクロボルトから１２０マイクロボルトで、ブルートゥースで繋がれたモバイルのアプリケーションによりチューニングして出力する。
【実施例１】
【００１５】
本体の電源を入れ、出力、ＬＥＤの点灯オンオフ、ＬＥＤの点灯パターンをチューニングして首から下げる。
【産業上の利用可能性】
【００１６】
軽量でネックレスタイプなので、入浴時以外は年齢性別問わず装着適用できる。
【符号の説明】
【００１７】
１    チップオンボード内蔵本体    ６    水晶発振器
２    バックル                    ７    ボリューム
３    リード線内蔵ネックレス      ８    ＬＥＤ
４    電極                        ９    充電用差込口
５    蓄電池                      １０  ブルートゥース発信機
１１  シリコンチューブ被覆
【図１】
2020124572.tif 000004
【図２】
2020124572.tif 000005
【図３】
2020124572.tif 000006
(57)【要約】【課題】  開口端にリングを備えた、リング付コンドームを提供する。【解決手段】コンドーム開口端に太さ３ｍｍ、内径２０ｍｍ以上のリングを備え、本体と同一形成とし、コンドーム開口端リングより２０ｍｍ〜５０ｍｍの領域をリングと同じ内径とし、コンドーム先端に精液溜めを備えたことを特徴とするリング付コンドーム。【選択図】図１
2020124456.tif 000002
【特許請求の範囲】
【請求項１】
コンドーム開口端に太さ３ｍｍ、内径２０ｍｍ以上のリングを備え、本体と同一形成とし、コンドーム開口端リングより２０ｍｍ〜５０ｍｍの領域をリングと同じ内径とし、コンドーム先端に精液溜めを備えたことを特徴とするリング付きコドーム。
【発明の詳細な説明】
【技術分野】
【０００１】  本発明は、リング付きコンドーム関するものである。
【背景技術】
【０００２】  従来、リング付きコンドームがあった（特許文献１参照）。
胴体より開口端にかけて細くしているコンドームがあった（特許文献２参照）。
【先行技術文献】
【０００３】
【特許文献１】実用新案登録第３０５５２２１号公報
【特許文献２】実用新案登録第３１９４７５９号公報
【発明の概要】
【発明が解決しようとする課題】
【０００４】  そのために次のような問題点があった。
（イ）従来のコンドームは開口端の内径が大きく、射精後の陰茎最小時に精液漏れや、ズレ、離脱落、性病感染症などの問題点があった。
（ロ）男性陰茎の勃起力低下、勃起状態の持続性で悩む人達。
本発明は、これらの問題点を解決するためになされたものである。
【課題を解決するための手段】
【０００５】  コンドーム開口端を、陰茎最小時の付け根より少し細い、太さ３ｍｍ、内径２０ｍｍ、以上のリングを備え、本体と同一形成とし、コンドーム開口端リングより２０ｍｍ〜５０ｍｍの領域をリングと同じ内径とし、コンドーム先端に精液溜めを備える。
以上を特徴とするリング付きコンドームである。
【発明の効果】
【０００６】  陰茎最小時でも精液漏れや、ズレ、離脱落などが改善された。
なを、性交中における陰茎の勃起力と勃起状態の持続性を高めた。
【図面の簡単な説明】
【０００７】
【図１】  本発明の斜視図である。
【発明を実施するための形態】
【０００８】  以下、本発明の実施の形態について説明する。
（イ）コンドーム開口端に太さ３ｍｍ、内径２０ｍｍ以上のリング（１）を備え、本体（３）と同一形成とする。
（ロ）コンドーム開口端リング（１）より２０ｍｍ〜５０ｍｍの領域をリングと同じ内径（２）とする。
（ハ）コンドーム先端に精液溜め（４）を備える。
本発明は以上のような構成である。
【符号の説明】
【０００９】    １  リング
２  リングと同じ内径
３  本体
４  精液溜め
【図１】
2020124456.tif 000003
(57)【要約】      （修正有）【課題】コンドームを拡張して簡単に装着出来るコンドーム装着補助具を提供する。【解決手段】把持部３と拡張部６を有する二つの片が一対に軸支されて一体になった構成体であって、拡張部６をドーナツ状円盤にし、把持部３を閉じてドーナツ状円盤を上下に重ね合わせた状態において、盤面の一番把持部側中央に回動支軸部７を設け、ドーナツ状円盤の中心点を挟んで、回動支軸部７に対し対向的位置を起点にして円周の三分の一の長さで、上下各々拡張片の内縁に沿って、細径のレール孔５ａ、５ｂが相互左右方向に設けてある。把持部３を閉じた状態から全開にすると上下二つのレール孔５ａ、５ｂが交差し移動する所に移動ホルダー軸１を設けて一方向拡張し、把持部側レール孔直近二箇所に固定ホルダー軸２ａを設け、ハサミ機構で固定ホルダー軸２ａが二方向拡張することで、コンドーム開口部を三方向に拡張出来るようにして、三分割になるホルダーを取り付けた。【選択図】図１
2020124454.tif 000002
【特許請求の範囲】
把持部と拡張部を有する二つの片が一対に軸支されて一体になった構成体であって、拡張部をドーナツ状円盤にし、把持部を閉じてドーナツ状円盤を上下に重ね合わせた状態において、盤面の一番把持部側中央に回動支軸部を設け、ドーナツ状円盤の中心点を挟んで回動支軸部に対し対向的位置を起点にして円周の三分の一の長さで、上下各々拡張片の内縁に沿って、細径のレール孔が相互左右方向に設けてある。
把持部を閉じた状態から全開にすると上下二つのレール孔が交差し移動する所に移動ホルダー軸を設けて一方向拡張し、把持部側レール孔直近二箇所に固定ホダー軸を設け、ハサミ機構で固定ホルダー軸が二方向に拡張する事でコンドーム開口部を三方向に拡張出来るようにして、なおかつ拡張を最大にすると固定ホルダー軸があたる所に溝を設け、コンドーム装着補助具に三分割になるホルダーを取り付けたことを特徴とするコンドーム装着補助具。
【発明の詳細な説明】
【技術分野】
【０００１】  本発明は、コンドームを拡張して簡単に装着出来るコンドーム装着補助具に関するものである。
【背景技術】
【０００２】  従来、装着補助具付きコンドームがあった（特許文献１参照）。
また、フック付き拡張装着補助具があった（特許文献２参照）。
【先行技術文献】
【特許文件】
【０００３】
【特許文献１】特開２０１８−１０２８９６号公報
【特許文献２】特表２０１０−５２８８０７号公報
【発明の概要】
【発明が解決しようとする課題】
【０００４】  そのために次のような問題点があった。
（イ）特許文献１に示された先行技術は、ホルダーが大きすぎる。
（ロ）特許文献２に示された先行技術は、巻取り式コンドームのみの対応だった。
（ハ）特許文献２に示された先行技術は、２方向の拡張のため拡張が不十分だった。
本発明は、これらの問題点を解決するためになされたものである。
【課題を解決するための手段】
【０００５】  把持部と刃部を有する二つのハサミ片が一対に軸支されて一体のハサミ体を成している様に、把持部と拡張部を有する二つの片が一対に軸支されて一体に成った構成体であって、拡張部をドーナツ状円盤にする。
把持部を閉じてドーナツ状円盤を上下に重ね合わせた状態において、盤面の一番把持部側中央に回動支軸部を設ける。
拡張部において、ドーナツ状円盤の中心点を挟んで回動支軸部に対し対向的位置を起点にして円周の三分の一の長さで、上下各々拡張片の内縁に沿って、細径のレール孔が相互左右方向に設けてある。
把持部を閉じた状態から全開にすると上下二つのレール孔が交差し移動する所に移動ホルダー軸を設ける。
把持部側レール孔直近に其々固定ホルダー軸を設ける。
把持部を閉じた時に、固定ホルダー軸が互に他方の盤面に食い込んで行ける為の溝、即ち拡張溝を設ける。
コンドーム装着補助具に三分割になるホルダーを取り付ける。
以上を特徴とするコンドーム装着補助具である。
【発明の効果】
【０００６】  巻取り式、折り畳み式、開口の小さいサイズのコンドームなどが容易に装着可能となった。
【図面の簡単な説明】
【０００７】
【図１】  本発明において、把持部を開いた状態を示す平面図である。
【図２】  本発明において、把持部を閉じた状態を示す平面図である。
【図３】  本発明の側面図である。
【図４】  本発明において、コンドームを装着した状態を示す平面図である。
【図５】  本発明において、コンドームを装着した状態を示す側面図である。
【図６】  本発明の斜視図である。
【図７】  本発明のホルダー平面図である。
【発明を実施するための形態】
【０００８】  以下、本発明の実施の形態について説明する。
（イ）把持部（３）と拡張部（６）を有する二つの片が一対に軸支されて一体に成った構成体であって、拡張部（６）をドーナツ状円盤にする。
（ロ）把持部（３）を閉じてドーナツ状円盤を上下に重ね合わせた状態において、盤面の一番把持部側の中央に回動支軸部（７）を設ける。
（ハ）拡張部（６）において、ドーナツ状円盤の中心点を挟んで回動支軸部（７）の対向的位置を起点にして、円周の三分の一の長さで、上下各々拡張片の盤面の内縁に沿って左側に細径レール孔（５ａ）、右側に細径レール孔（５ｂ）を設ける。
（ニ）把持部（３）を閉じた状態から全開にした状態において、上下二つのレール孔（５ａ）レール孔（５ｂ）は互に交差する所に移動ホルダー軸（１）を設ける
（ホ）把持部側レール孔直近左側に固定ホルダー軸（２ａ）右側に固定ホルダー軸（２ｂ）を設ける。
（ヘ）把持部（３）を閉じた時に、固定ホルダー軸（２ａ）固定ホルダー軸（２ｂ）が相互に他方の盤面に食い込んで行ける拡張溝（４）を設ける。
（ト）移動ホルダー軸（１）、固定ホルダー軸（２ａ）、固定ホルダー軸（２ｂ）は図７の三分割になるホルダーを取り付ける。
（チ）装着補助具にホルダーをワンタッチで取付可能にする。
本発明は以上のような構成である。
本発明を使用するときは、図４．図５のようにコンドームを拡張して使用する。
【符号の説明】
【０００９】  １    移動ホルダー軸
２ａ  固定ホルダー軸
２ｂ  固定ホルダー軸
３    把持部
４    拡張溝
５ａ  レール孔
５ｂ  レール孔
６    拡張部
７    回動支軸部
【図１】
2020124454.tif 000003
【図２】
2020124454.tif 000004
【図３】
2020124454.tif 000005
【図４】
2020124454.tif 000006
【図５】
2020124454.tif 000007
【図６】
2020124454.tif 000008
【図７】
2020124454.tif 000009
(57)【要約】【課題】  軟質性ゴムリングを切るのに便利な安全ハサミを提供する。【解決手段】  把持部と切断部を有する一対のハサミで回動支軸部を有し、刃先に半球体を刃部に対しＬ型になる様に備え、もう片方の刃先を半球体までと短くし、なおかつ、刃部付け根から刃先を緩やかに少し湾曲させたことを特徴とする安全ハサミ。【選択図】図１
2020124455.tif 000002
【特許請求の範囲】
【請求項１】
把持部と切断部を有する一対のハサミで回動支軸部を有し、刃先に半球体を刃部に対しＬ型になる様に備え、もう片方の刃先を半球体までと短くし、なおかつ、刃部付け根から刃先を緩やかに少し湾曲させたことを特徴とする安全ハサミ。
【発明の詳細な説明】
【技術分野】
【０００１】  本発明は、軟質性ゴムリングを切るのに便利な安全ハサミに関するものである。
【背景技術】
【０００２】  従来、安全ハサミがあった（特許文献１参照）。
また、球体付き安全ハサミがあった（特許文献２参照）。
【先行技術文献】
【特許文献】
【０００３】
【特許文献１】実用新案登録第３１０１７３３号公報
【特許文献２】実用新案登録第３１９８９３８号公報
【発明の概要】
【発明が解決しようとする課題】
【０００４】  そのために次のような問題点があった。
（イ）刃先で刺し傷や切り傷がついてしまう。
（ロ）血管や油脂、ゼリーなどが付着したゴムなどが刃先に向かって滑る。
本発明は、これらの問題点を解決するためになされたものである。
【課題を解決するための手段】
【０００５】  把持部と切断部を有する一対のハサミで回動支軸部を有し、刃先に半球体を刃部に対しＬ型になる様に備え、もう片方の刃先を半球体までと短くし、なおかつ、図４のように刃部付け根から刃先を緩やかに少し湾曲させる。
以上を特徴とする安全ハサミである。
【発明の効果】
【０００６】  切断部刃先に半球体を備え、もう片方の刃先を半球体までと短くする事で、刺し傷や、切り傷などの危険性を少なくし、刃先に向かって滑っていく物体を止め、血管や油脂、ゼリーなどが付着したゴムなどが容易に切断可能となった。
【図面の簡単な説明】
【０００７】
【図１】  本発明の平面図である。
【図２】  本発明の側面図である。
【図３】  本発明の要部である半球体刃先付近を切り欠いた断面図である。
【図４】  本発明の一部である刃部を切り欠いた側面図である。
【発明を実施するための形態】
【０００８】  以下、本発明の実施形態について説明する。
（イ）把持部（５）と切断部（４）を有する一対の構成部材で回動支軸部（１）を有する      。
（ロ）切断部（４）に半球体刃先（２）を刃部に対しＬ型に備え、短くした刃先（３）を      半球体までとする。
（ハ）図４に示すように刃部根本から刃先に向かって緩やかに少し湾曲させる。
本発明は以上のような構成である。
本発明を使用するときは、半球体を下側にして刺し傷や、切り傷を防止して血管や油脂、ゼリーなどが付着したゴムなど軟質性の物が刃先に向かって滑っていくのを止めて安全に切断できる。
【符号の説明】
【０００９】    １  回動支軸部
２  半球体刃先
３  短くした刃先
４  切断部
５  把持部
【図１】
2020124455.tif 000003
【図２】
2020124455.tif 000004
【図３】
2020124455.tif 000005
【図４】
2020124455.tif 000006
(57)【要約】      （修正有）【課題】枕の高さの調整方法及び該方法を用いた高さ調整可能な枕を提供する。【解決手段】方法は、（イ）高さ調整可能な枕のエアバッグを枕から取り出し、エアバッグに所定の負荷を加え、エアバッグを充気、或いは放気し、エアバッグの異なる気圧に対応するエアバッグの高さを記録し、エアバッグの気圧と高さとの対応関係を取得するステップと、（ロ）枕の高さを調整する際に、気圧計によりエアバッグ内の気圧を計測し、気圧と高さとの対応関係に基づいてエアバッグの現在の高さを取得するステップと、（ハ）エアバッグの現在の高さが目標の高さと一致する場合、エアバッグの充気又は放気を停止するステップと、を含む。【選択図】なし【特許請求の範囲】
【請求項１】
枕の高さの調整方法であって、
（イ）高さ調整可能な枕のエアバッグを枕から取り出し、エアバッグに所定の負荷を加え、エアバッグを充気、或いは放気し、エアバッグの異なる気圧に対応するエアバッグの高さを記録し、エアバッグの気圧と高さとの対応関係を取得するステップと、
（ロ）枕の高さを調整する際に、気圧計によりエアバッグ内の気圧を計測し、気圧と高さとの対応関係に基づいてエアバッグの現在の高さを取得するステップと、
（ハ）エアバッグの現在の高さが目標の高さと一致する場合、エアバッグの充気又は放気を停止するステップと、を含む、枕の高さの調整方法。
【請求項２】
ステップ（イ）において、エアバッグが門型の装置内に位置するように、エアバッグの上に該門型の装置を載置し、該門型の装置の上面に所定の負荷を加えて睡眠時のユーザの頭の枕への圧力をシミュレートし、門型の装置の上面の異なる気圧での高さを計測し、エアバッグの異なる気圧での高さを取得する、請求項１に記載の枕の高さの調整方法。
【請求項３】
請求項１又は２に記載の枕の高さの調整方法を用いた、高さ調整可能な枕。
【発明の詳細な説明】
【技術分野】
【０００１】
本発明は、寝具に関し、特に枕に関する。
【背景技術】
【０００２】
人々の生活リズムの加速に伴い、睡眠不足は現在の都市部の人々の普遍の現象になっている。専門家によると、睡眠不足は健康に大きな影響を及ぼし、留意する必要がる。睡眠不足の悪い影響は主に以下に反映される。１つ目は、脳の創造的な思考に影響を与える。２つ目は、青少年の成長及び発育に影響を与える。３つ目は、健康などに影響を与える。このように、快適な睡眠は人体に不可欠である。ベッドで休憩する際に、頭は枕で支えられて、一定の角度で上に傾く必要がある。よって、枕のフィット感は非常に重要である。選択された枕が適切でないと、頸部痛、不眠症、翌日の疲労などを引き起こし、翌日の正常な生活に影響を与える。しかし、各人の体の曲線及び睡眠姿勢などの要因により、適切な枕を選択することは非常に困難である。
【０００３】
人々の仰向け又は横向きの時に、適切な枕の高さが異なるため、市販の枕では、様々な睡眠姿勢に応じて高さを自動的に調整可能な枕がある。このような枕は、エアバッグを充気、或いは放気することで枕の高さを調整し、調整を行う際に、枕がユーザの求めている高さの値に達するように、エアバッグの高さを知る必要がある。エアバッグが柔軟な装置であるため、充気後の枕の高さを検出することは困難である。
【発明の概要】
【発明が解決しようとする課題】
【０００４】
本発明は、枕の使用中に枕の高さを間接的に測定する枕の高さの調整方法を提供する。
【０００５】
本発明は、上記の枕の高さの調整方法を用いた高さ調整可能な枕をさらに提供する。
【課題を解決するための手段】
【０００６】
上記の課題を解決するために、本発明では、枕の高さの調整方法であって、（イ）高さ調整可能な枕のエアバッグを枕から取り出し、エアバッグに所定の負荷を加え、エアバッグを充気、或いは放気し、エアバッグの異なる気圧に対応するエアバッグの高さを記録し、エアバッグの気圧と高さとの対応関係を取得するステップと、（ロ）枕の高さを調整する際に、気圧計によりエアバッグ内の気圧を計測し、気圧と高さとの対応関係に基づいてエアバッグの現在の高さを取得するステップと、（ハ）エアバッグの現在の高さが目標の高さと一致する場合、エアバッグの充気又は放気を停止するステップと、を含む、枕の高さの調整方法を提供する。
【０００７】
１つの好ましい実施例では、ステップ（イ）において、エアバッグが門型の装置内に位置するように、エアバッグの上に該門型の装置を載置し、該門型の装置の上面に所定の負荷を加えて睡眠時のユーザの頭の枕への圧力をシミュレートし、門型の装置の上面の異なる気圧での高さを計測し、エアバッグの異なる気圧での高さを取得する。
【０００８】
本発明では、上記の枕の高さの調整方法を用いた、高さ調整可能な枕をさらに提供する。
【発明の効果】
【０００９】
従来技術に比べて、本発明の各態様は以下の有利な効果を有する。
【００１０】
本発明に係る枕の高さの調整方法では、エアバッグの高さとエアバッグの気圧とを関連付け、枕の高さの調整中にエアバッグの気圧を検出し、該気圧を高さに変換することでエアバッグの高さを間接的に検出することができる。このような方法は、計算量が少なく、速度が速く、枕が目標位置に上昇又は降下する際に、エアバッグの充気又は放気を迅速に停止することができ、優れた実用性を有する。
【発明を実施するための形態】
【００１１】
以下は具体的な実施例を参照しながら本発明を説明する。
【００１２】
本発明に係る枕の高さの調整方法は以下のステップを含む。
【００１３】
（１）高さ調整可能な枕のエアバッグを枕から取り出し、エアバッグに所定の負荷を加え、エアバッグを充気、或いは放気し、エアバッグの異なる気圧に対応するエアバッグの高さを記録し、エアバッグの気圧と高さとの対応関係を取得する。
【００１４】
具体的には、本実施例では、２ＫＰａ、３ＫＰａ、５ＫＰａ、及び８ＫＰａのエアバッグの気圧での対応するエアバッグの高さをそれぞれ測定し、人間の頭の重さをシミュレートするために、負荷は３ｋｇである。
【００１５】
測定の際に、エアバッグが門型の装置内に位置するように、エアバッグの上に該門型の装置を載置し、該門型の装置の上面に３ｋｇの負荷を加えて、睡眠時のユーザの頭の枕への圧力をシミュレートし、門型の装置の上面の異なる気圧での高さを計測し、エアバッグの異なる気圧での高さを取得する。測定の精度を確保するために、門型の装置の上面において４つの位置を選択して測定を行い、最後に平均値を求める。
【００１６】
測定されたデータは以下の通りである。
【００１７】
【表１】
2020124481.tif 000002
（２）枕の高さを調整する際に、気圧計によりエアバッグ内の気圧を計測し、気圧と高さとの対応関係に基づいてエアバッグの現在の高さを取得する。
【００１８】
（３）エアバッグの現在の高さが目標の高さと一致する場合、エアバッグの充気（空気入れ）又は放気（空気抜き）を停止する。
【００１９】
本実施例は、上述した枕の高さの調整方法を用いた高さ調整可能な枕をさらに提供する。
【００２０】
以上は本発明の好ましい実施例を説明しているが、本発明の範囲はこれに限定されず、当業者が本発明の変形又は技術的範囲を容易に想到することができる。変形例も本発明の範囲内のものである。よって、本発明の保護範囲は特許請求の範囲により決定されるべきである。
【外国語明細書】
2020124481000001.pdf